(57)【要約】【課題】  外装材（サイディングボード）の取り付け作業の効率を向上させることができ、これにより、施工期間の短縮化を図ることができるとともに、施工コストを削減することができる足場作業用外装材保持具を提供する。【解決手段】  この足場作業用外装材保持具１０は、建築物の周囲に沿ってほぼ平行に水平配置された少なくとも二本のパイプ材１１ａ，１１ｂからなる施工用足場に着脱可能に取り付けられ、複数枚の外装材１９を、上方の構造物に立てかけた状態で保持する保持部２０を備える。【選択図】  図２
2006316567.tif 000002
【特許請求の範囲】
【請求項１】
建築物の周囲に沿ってほぼ平行に水平配置された複数のパイプ材からなる施工用足場に、当該複数のパイプ材に跨るように掛け渡されて着脱可能に取り付けられる本体と、
この本体に設けられた、立てかけられた状態の一又は複数枚の外装材の下端縁を保持する保持部と、を備えることを特徴とする足場作業用外装材保持具。
【請求項２】
前記保持部が、前記本体の建築物側の縁部が前記パイプ材とほぼ平行に折り曲げ形成されてなる請求項１記載の足場作業用外装材保持具。
【請求項３】
前記保持部が、前記本体の平面部に前記パイプ材とほぼ平行に突設される板状部材からなる請求項１又は２記載の足場作業用外装材保持具。
【請求項４】
前記本体の底面から突出し、当該本体が掛け渡されたパイプ材の外周に当接することにより、当該本体を前記施工用足場から脱落不能に固定する固定部材を備える請求項１乃至３のいずれかに記載の足場作業用外装材保持具。
【発明の詳細な説明】
【技術分野】
【０００１】
本発明は、一般住宅等の施工用足場に着脱可能に取り付けられ、外装仕上げ用のサイディングボードを足場の上に複数枚保持・搭載することを可能とし、外装作業の作業効率を向上させることができる足場作業用外装材保持具に関するものである。
【背景技術】
【０００２】
一般に、二階建てや三階建ての建て売り住宅や注文住宅等の施工現場では、建築物（施工住宅）の周囲に作業用の足場が組まれ、この足場上で作業者が所定の作業を行っている。
ここで、住宅用建築物の足場としては、踏み板・足場板等を備えた大がかりで複雑な足場（例えば特許文献１−２参照）が組まれることもあるが、比較的小規模な建て売り住宅等の小型住宅の場合には、パイプ等を住宅周囲に沿って水平・垂直に組んで足場とする簡易な足場が組まれることが一般的である。
このような簡易な足場は、例えば金属製のパイプ材等を縦材及び横材として組み立てることで足場が構成され、水平方向に配置される平行な複数（通常二本）のパイプが作業者が立つ足場となる。
【０００３】
ところで、住宅用の建築物では、外装の仕上げとしてサイディングボードと呼ばれる板状の簡易な外装仕上げ材が用いられることが多いが、上述したようなパイプが縦横に組まれてなる簡易な足場では、踏み板・足場板のような平面部分が存在せず、しかも、水平方向に配置される複数（二本）の丸パイプの間には隙間があるため、サイディングボードを足場上に載せておくことができない。
このため、サイディングボードの施工の際には、足場以外の地上に多数のサイディングボードを置いておき、それを作業者が一枚ずつ足場まで運び、二階，三階等の足場上にいる作業者に手渡し、足場上の作業者は、地上の作業者から受け取ったサイディングボードを、一枚ずつ住宅の壁面に取り付け、順次サイディングボードを受け取っては取り付ける、という作業が繰り返される。
【０００４】
【特許文献１】特開平１０−００２１０４号公報（第２−３頁、第１図）
【特許文献２】特開２０００−２９１２５５号公報（第３頁、第１図）
【発明の開示】
【発明が解決しようとする課題】
【０００５】
このように、従来の一般住宅の施工現場においては、外装材（サイディングボード）の施工の際には、足場側の作業者に地上側の作業者が外装材を一枚ずつ手渡しし、足場側の作業者が住宅の壁面に外装材を取り付け、外装材が取り付けられる毎に地上の作業者から外装材を一枚ずつ受け渡しする、という作業を繰り返す必要があった。
このため、外装材の取り付け作業はきわめて効率が悪く、住宅の施工期間の短縮化を妨げる原因になるとともに、施工コストを削減することが難しくなるという問題があった。
【０００６】
本発明は、以上のような従来の技術が有する課題を解決するために提案されたものであり、一般住宅等の簡易な足場に着脱可能に取り付けられ、外装仕上げ用のサイディングボードを足場の上に複数枚保持・搭載することを可能とし、これによって、外装材の取り付け作業の効率を各段に向上させ、施工期間の短縮化を図るとともに、施工コストを削減することができる、特に、建て売り住宅等の簡易な足場が組まれる一般住宅の施工現場に好適な足場作業用外装材保持具の提供を目的とする。
【課題を解決するための手段】
【０００７】
上記目的を達成するために、本発明の足場作業用外装材保持具は、請求項１に記載するように、建築物の周囲に沿ってほぼ平行に水平配置された複数のパイプ材からなる施工用足場に、当該複数のパイプ材に跨るように掛け渡されて着脱可能に取り付けられる本体と、この本体に設けられた、立てかけられた状態の一又は複数枚の外装材の下端縁を保持する保持部とを備える構成としてある。
【０００８】
このような構成によれば、足場作業用外装材保持具の本体を、複数（通常二本）のパイプ材に跨がるように架け渡すことにより、足場作業用外装材保持具を施工用足場に容易に取り付けることができる。
そして、施工用足場に着脱自在に取り付けた足場作業用外装材保持具の保持部に、予め複数枚の外装材の上方を建築物等に立てかけた状態で、外装材の下端縁部分を搭載・保持することができる。
【０００９】
従って、足場に取り付けられた保治具によって外装材を足場上に搭載・保持することが可能となり、足場側の作業者は、地上の作業者から外装材を一枚ずつ受け取ることなく、足場作業用外装材保持具の保持部に保持された複数枚の外装材を一枚ずつ建築物の壁面に取り付けることができる。
これにより、作業者一人で外装材の運搬・配置・施工が可能となり、外装材の取り付け作業の効率を大幅に向上させることができ、この結果、施工期間の短縮化を図ることができるとともに、施工コストを削減することができる。
【００１０】
また、本発明の足場作業用外装材保持具は、請求項２に記載するように、保持部が、本体の建築物側の縁部が足場を構成するパイプ材とほぼ平行に折り曲げ形成されてなる構成としてある。
このような構成によれば、本体の縁部を折り曲げ形成することで保持部を設けることができる。これにより、鋼鉄板等で形成した本体の縁部を折り曲げることにより、容易かつ堅固に、本体と一体的に保持部を設けることができ、安価かつ剛性，耐久性に優れた保持具を提供できる。
【００１１】
また、本発明の足場作業用外装材保持具は、請求項３に記載するように、保持部が、本体の平面部に足場を構成するパイプ材とほぼ平行に突設される板状部材からなる構成としてある。
このような構成によれば、保持部は、本体の平面部に板状部材が突出するように取り付けて設けることができる。すなわち、本発明の保持具では、上述した折り曲げ形成される保持部とともに、あるいは、折り曲げ形成される保持部に代えて、板状部材からなる保持部を設けることができる。これにより、保持具に搭載する外装材の数や大きさ、保持具本体の強度等に応じて、一又は二以上の保持部を設けることが可能となる。
なお、この板状部材からなる保持部は、溶接やボルト止め等によって容易かつ堅固に本体側に取り付けることができる。
【００１２】
さらに、本発明の足場作業用外装材保持具は、請求項４に記載するように、本体の底面から突出し、当該本体が掛け渡されたパイプ材の外周に当接することにより、当該本体を施工用足場から脱落不能に固定する固定部材を備える構成としてある。
このような構成によれば、固定部材を備えることにより、足場作業用外装材保持具が施工用足場から脱落・落下することを確実に防止することができる。
また、固定部材は、工具等を必要とせず、棒状の固定部材を本体に挿入・螺合等するだけで、足場作業用外装材保持具を容易かつ堅固に施工用足場に固定することができる。
【発明の効果】
【００１３】
本発明によれば、保持具を一般住宅等の簡易な足場に取り付けることで、外装用のサイディングボードを足場の上に複数枚保持・搭載することができ、作業者一人でサイディングボードの運搬・配置・施工が可能となり、外装材の取り付け作業の効率を大幅に向上させることができる。
これにより、施工期間の短縮化を図ることができるとともに、施工コストを削減することができる。
【発明を実施するための最良の形態】
【００１４】
以下、本発明の好ましい実施形態の一例を図を参照して説明する。
図１は、本発明の一実施形態に係る足場作業用外装材保持具を示す斜視図であり、（ａ）は平面側斜視図、（ｂ）は底面側斜視図である。
図２は、図１に示す本実施形態に係る保持具を施工用足場に取り付けた状態を示す斜視図であり、（ａ）は平面側斜視図、（ｂ）は底面側斜視図である。
【００１５】
これらの図に示すように、本実施形態に係る足場作業用外装材保持具１０は、鋼鉄板等の金属板が折り曲げ形成，溶接形成されて構成される金具であり、図２に示すように、住宅の周囲に沿ってほぼ平行に水平配置された二本の金属製パイプ材１１ａ，１１ｂに着脱可能に取り付けられる。
二本の金属製パイプ材１１ａ，１１ｂは、横材として施工用足場を形成しており、軸方向の両端部が縦材としての金属製パイプ材１１ｃに結合金具等を介して結合されている。
【００１６】
足場作業用外装材保持具１０は、図３（ａ），（ｂ）に示すように、二本の金属製パイプ材１１ａ，１１ｂに跨がるように架け渡される本体１２を備えている。
本体１２は、金属製パイプ材１１ａ，１１ｂの軸方向に沿って長い長方形状の上側板１３を有している。上側板１３は、住宅の壁面側に配置される金属製パイプ材１１ａと、住宅の壁面から離間する側に配置される金属製パイプ材１１ｂとの間の上方位置を覆うように、各金属製パイプ材１１ａ，１１ｂに載置される。
【００１７】
上側板１３の金属製パイプ材１１ｂ側の側部において、上側板１３の長手方向の両端部には、図３（ｂ），図４（ａ）に示すように、金属製パイプ材１１ｂの金属製パイプ材１１ａから離間する側の側面に沿って下方に延びる後側板１４がそれぞれ設けられている。
また、各後側板１４の下端部には、図３（ｂ）に示すように、金属製パイプ材１１ｂの下側面に沿って、上側板１３の幅方向内方に延びる下側板１５が設けられている。この下側板１５と上側板１３との間に、金属製パイプ材１１ｂが挿入されて、この金属製パイプ材１１ｂが上下方向に挟まれるようになっている。
【００１８】
上側板１３の金属製パイプ材１１ａ側の側部には、図３（ａ）及び図４（ｂ）に示すように、この金属製パイプ材１１ａの金属製パイプ材１１ｂから離間する側の側面に沿って下方に延びる前側板１６が、上側板１３から延設・折り曲げ形成されることにより、金属性パイプ材とほぼ平行となるように設けられている。
また、前側板１６の下端部には、上側板１３の幅方向外方に延びる保持板１７が設けられており、この保持板１７の先端部には、斜め上方に延びる止め板１８が設けられ、これらが折り曲げ形成により、金属製パイプ材とほぼ平行となるように一体的に設けられている。
【００１９】
そして、本実施形態では、このように折り曲げ形成されてなる前側板１６、保持板１７及び止め板１８によって、本発明の保持部２０が構成されている。
この保持部２０は、保持板１７により複数のサイディングボード等の外装材１９が上方が住宅構造物に立てかけられた状態で外装材１９の下端縁が保持され、止め板１８によって、外装材１９の保持板１７からの脱落が防止されて、外装材１９が保持具１０上に搭載・保持されるようになっている。
【００２０】
ここで、保持部２０に保持・搭載される外装材１９としては、例えば通常のサイディングボードの場合、幅約４５５ｍｍ、高さ約１８２０ｍｍ、厚さ約１２ｍｍほどの大きさとなっている。
従って、保持部２０の保持板１７の長さＬ１（図３（ｂ）参照）を任意に設定することで、保持可能な外装材１９の数を設定・調整することができる。例えば、保持板１７の長さＬ１を４０ｍｍ程度に設定することで、厚さ約１２ｍｍの外装材１９であれば、図３（ｂ）に示すように、三枚の外装材１９を保持部２０に保持・搭載することができる。
【００２１】
さらに、本実施形態では、上側板１３にも本発明の保持部となる保持部２１を設けてある。
この保持部２１は、上側板１３の上面の金属製パイプ材１１ｂから金属製パイプ材１１ａ側に若干離間した位置で、上側板１３の長手方向（金属製パイプとほぼ平行な方向）に沿って溶接等により固定された板状部材のプレート２２と、このプレート２２から一体的に延設・突設されて、プレート２２の幅方向の金属製パイプ材１１ａ側の側部から斜め上方に突出する、金属製パイプとほぼ平行な板状部材の保持板２３とを備えている。
【００２２】
そして、保持板２３のプレート２２から離間する側の上側板１３に、複数のサイディングボード等の外装材１９が上方を住宅構造物に立てかけた状態で載置され、保持板２３によって外装材１９の下端縁が保持され、プレート２２側へずれないようにしている。
ここで、保持部２１によって保持される外装材１９は、保持部２１から保持部２０までの上側板１３の長さＬ２（図３（ｂ）参照）を任意に設定することで、保持可能な外装材１９の数を任意に設定・調整することができる。例えば、上側板１３の長さＬ２を１２０ｍｍ程度に設定することで、厚さ約１２ｍｍの外装材１９であれば、十枚の外装材１９を保持部２１により保持・搭載することができる。
【００２３】
なお、本実施形態では、足場作業用外装材保持具１０を金属製の板金を用いて製作し、本体１２及び保持部２０に、バリ取りが比較的容易な円形の穴２４を形成して軽量化を図っている。但し、この軽量化の穴の形状や数、形成位置などは特に限定されない。例えば、軽量化の穴を角形とすることもでき、また、保持具１０の全体に微細な穴をメッシュ状に形成することもできる。
また、保持具１０の材質も任意であり、本実施形態のように、鋼鉄板製やアルミ板製等の任意の金属板製とすることができる他、例えば強化プラスチックにより保持具１０を形成することもできる。保持具１０の材質は、加工が容易で低コストで保持具１０を製造できることから、材質は鋼鉄板製とすることが好ましく、鋼鉄製の場合、メッキ仕上げを施すことが好ましい。
【００２４】
次に、足場作業用外装材保持具１０の本体１２を二本の金属製パイプ材１１ａ，１１ｂに固定するための本発明の固定部材となるＬ型ボルト３０及び固定ピン４０について説明する。
図２に示すように、保持部２０を一体的に備える本体１２は、二本の金属製パイプ材１１ａ，１１ｂに取り付けられる。この取り付け状態においては、図３（ｂ）に示すように、上側板１３、後側板１４及び下側板１５によって形成される空間に金属製パイプ材１１ｂが嵌め込まれ、上側板１３及び前側板１６によって形成される空間に金属製パイプ材１１ａが嵌め込まれる。
そして、この嵌め込まれた状態において、Ｌ型ボルト３０及び固定ピン４０の固定部材によって、保持具１０は金属製パイプ材１１ａ，１１ｂから脱落不能に堅固に固定される。
【００２５】
まず、Ｌ型ボルト３０は、基端部に雄ねじ（図示せず）が形成されており、この雄ねじを、本体１２の上側板１３の裏面側に溶接等により固定されたナット部材３１の雌ねじ（図示せず）にねじ込むことにより、Ｌ型ボルト３０が本体１２に着脱自在に取り付けられる。
ナット部材３１は、上側板１３の長手方向のほぼ中央部位置で、かつ、金属製パイプ材１１ａから金属製パイプ材１１ｂ側に若干離間した位置に配置されている。
【００２６】
そして、ナット部材３１にＬ型ボルト３０が取り付けられた状態においては、Ｌ型ボルト３０の先端部は、金属製パイプ材１１ａの下側部に当接・係合して、Ｌ型ボルト３０の先端部と上側板１３との間に、金属製パイプ材１１ａが上下方向に挟まれるようになっている（図２（ｂ），図３（ｂ）参照）。これにより、本体１２はＬ型ボルト３０によって金属製パイプ材１１ａに脱落不能に固定され、本体１２の上下方向の動きが規制される。
さらに、本実施形態では、Ｌ型ボルト３０の先端部が上方に傾斜するように形成してあり（図３（ｂ）参照）、これにより、金属製パイプ材１１ａとの係合力が強められている。
【００２７】
一方、固定ピン４０は、本実施形態では二本の固定ピン４０が備えられており、本体１２を金属製パイプ材１１ｂに固定する前の段階では、各後側板１４の本体１２の長手方向内側の外面にそれぞれ固定された筒部４１に挿入・収納されている。
固定ピン４０の上端部には、リング４２が取り付けられており、リング４２には、引っ張りコイルばね等の弾性伸縮部材４３の一端が固定されている。そして、弾性伸縮部材４３の他端は、後側板１４の本体１２の長手方向外側の外面に固定されている。
これにより、固定ピン４０は、弾性伸縮部材４３の弾性力により、後側板１４の本体１２の長手方向外側に付勢された状態で、筒部４１に挿入されることになり、筒部４１から固定ピン４０が不用意に抜けたり、落下するのを防止している。
【００２８】
本体１２を金属製パイプ材１１ｂに固定する場合は、筒部４１から固定ピン４０を抜いて、この固定ピン４０を保持部２１のプレート２２に穿設された穴４４（図３（ａ）参照）に挿入する。これにより、固定ピン４０が本体１２に着脱自在に取り付けられる。
また、保持部２１のプレート２２に穿設された穴４４の位置と、弾性伸縮部材４３の他端側の固定位置との間の寸法は、筒部４１の位置と、弾性伸縮部材４３の他端側の固定位置との間の寸法より長くなっている。
従って、穴４４に挿入された固定ピン４０には、弾性伸縮部材４３の弾性力がより大きく作用することになり、これにより、振動等により固定ピン４０が穴４４から不用意に抜けるのを防止している。
【００２９】
そして、固定ピン４０を保持部２１のプレート２２に穿設された穴４４に挿入した状態においては、固定ピン４０は、金属製パイプ材１１ｂの金属製パイプ材１１ａ側を向く側面に当接・係合する。
この係合状態では、金属製パイプ材１１ｂが、固定ピン４０と後側板１４との間に前後方向に挟まれるとともに、上側板１３と下側板１５との間に上下方向に挟まれた状態となる（図２（ｂ），図３（ｂ）参照）。これにより、本体１２は固定ピン４０によって金属製パイプ材１１ｂに脱落不能に固定され、本体１２の前後方向の動きと上下方向の動きが規制される。
【００３０】
以上の説明から明らかなように、本実施形態に係る足場作業用外装材保持具１０によれば、施工用足場としての二本の金属製パイプ材１１ａ，１１ｂに着脱自在に取り付けられた足場作業用外装材保持具１０の保持部２０，２１に、予め複数枚の外装材１９を、上方の住宅構造物に立てかけた状態で保持することができる。
従って、施工用足場側の作業者は、地上の作業者から外装材１９を１枚ずつ受け取ることなく、足場作業用外装材保持具１０の保持部２０，２１に保持された複数枚の外装材１９を１枚ずつ住宅の壁面に取り付けることができる。
これにより、外装材１９の取り付け作業の効率を向上させることができ、この結果、施工期間の短縮化を図ることができるとともに、施工コストを削減することができる。
【００３１】
また、足場作業用外装材保持具１０の本体１２を、二本の金属製パイプ材１１ａ，１１ｂに跨がるように架け渡して、上側板１３、後側板１４及び下側板１５によって形成される空間に金属製パイプ材１１ｂを嵌め込むとともに、上側板１３及び前側板１６によって形成される空間に金属製パイプ材１１ａを嵌め込んでいる。
これにより、足場作業用外装材保持具１０を施工用足場に容易に取り付けることができる。
【００３２】
また、本体１２を、Ｌ型ボルト３０を介して金属製パイプ材１１ａに固定して、本体１２の上下方向の動きを規制するとともに、固定ピン４０を介して金属製パイプ材１１ｂに固定して、本体１２の前後方向の動きと上下方向の動きを規制している。
これにより、金属製パイプ材１１ａ側を支点とした足場作業用外装材保持具１０の回転動作及び金属製パイプ材１１ｂ側を支点とした足場作業用外装材保持具１０の回転動作を確実に阻止することができる。この結果、足場作業用外装材保持具１０が金属製パイプ材１１ａ，１１ｂから外れるのを確実に防止することができる。
【００３３】
さらに、Ｌ型ボルト３０及び固定ピン４０を本体１２に取り付けるだけで、足場作業用外装材保持具１０を二本の金属製パイプ材１１ａ，１１ｂに固定することができる。これにより、工具等を用いることなく、足場作業用外装材保持具１０を容易に二本の金属製パイプ材１１ａ，１１ｂに固定することができる。
【００３４】
以上、本発明の足場作業用外装材保持具について、好ましい実施形態を示して説明したが、本発明に係る足場作業用外装材保持具は、上述した実施形態にのみ限定されるものではなく、本発明の範囲で種々の変更実施が可能であることは言うまでもない
例えば、保持具を構成する本体，固定部材の形状や大きさは、取り付ける足場や搭載・保持する外装材の形状・大きさ等に応じて任意に設定することができる。
また、本発明の保持具が取り付けられるパイプ材や、保持具に保持・搭載される外装材についても、特に上述した実施形態に例示したものに限定されるものではない。
【図面の簡単な説明】
【００３５】
【図１】本発明の一実施形態に係る足場作業用外装材保持具を示す斜視図であり、（ａ）は平面側斜視図、（ｂ）は底面側斜視図である。
【図２】本発明の一実施形態に係る保持具を施工用足場に取り付けた状態を示す斜視図であり、（ａ）は平面側斜視図、（ｂ）は底面側斜視図である。
【図３】（ａ）は本発明の一実施形態に係る足場作業用外装材保持具の平面図、（ｂ）は図３（ａ）の矢印Ａ方向から見た保持具の側面図である。
【図４】（ａ）は図３（ａ）の矢印Ｂ方向から見た保持具の正面図、（ｂ）は図３（ａ）の矢印Ｃ方向から見た保持具の背面図である。
【符号の説明】
【００３６】
１０  足場作業用外装材保持具
１１ａ，１１ｂ  金属製パイプ材（施工用足場）
１２  本体
１９  外装材
２０，２１  保持部
３０  Ｌ型ボルト３０（固定部材）
４０  固定ピン（固定部材）
【図１】
2006316567.tif 000003
【図２】
2006316567.tif 000004
【図３】
2006316567.tif 000005
【図４】
2006316567.tif 000006